Podtech/llm-jp-corpus-v4-ja_patent huggingface dataset:
(57)【要約】　　　（修正有）【課題】毎日は着ないが、時々は着る洋服を、その度に従来の洋服カバーに掛けたり、外したりする手間の大変さから開放する。【解決手段】ケープ式の洋服カバーにループを付け、それをハンガーの中心部の軸に吊るしハンガーと一体化する。衣服をハンガーに掛けた後、吊るしてあるケープ式のカバーで衣服を覆う。衣服をハンガーから取る時は、カバーを後ろに、はねてのけるだけなのでカバーの取り外しがいとも簡単にできる。又、カバーの内側に通気性の良い素材でポケットを付けているので、防虫剤、乾燥剤や「香り袋」を入れることが出来る。更に、カバーの前打ち合わせ部分のボタンかマジックテープ（登録商標）を留めると、長期保管用衣服カバーとしても十分使える。又、カバー自体がいらない時は、ループから簡単に外せるし、汚れたら洗濯する事が容易なので捨てる必要がなく半永久的に繰り返し使えるので経済的であり、且つ、環境にもやさしい。【選択図】　　図８
2004057543.tif 000002
【特許請求の範囲】
【請求項１】
ハンガーの中心部の軸に、取り外しが自由な様にループの付いたケープ式の布で出来た洋服カバーを、常時吊るしておき衣服にカバーを掛けたり、外したり、又、洗濯が容易にできるようにした洋服カバー。
【請求項２】
洋服カバーの内側に通気性の良い素材のポケットを付けることによって、防虫剤、乾燥剤、「香り袋」、等を入れられる。
【請求項３】
前の打ち合わせ部分にボタンかマジックテープ（登録商標）をつけ、それで留める事によって、カバーが袋状になるので、そのまま長期保管用洋服カバーとしても十分使用できる。
【発明の詳細な説明】
【０００１】
本発明は、（図２）に示しているように、長方形の布の左右を丸く裁断し、布の中心の上より約１／３（上から３０ｃｍ）の所に穴をあけ、そこから上方向放射状に切り取る。硬めの紐を結んでループ（５）を作り、両端（４）を数センチ残しておく。そして（図１）に示すように、ループの結び目の所を布の穴の下部分（６）に固定し、残りの紐の両端（４）を穴の周りに縫い付ける。（図３）はその拡大図である。そうすることにより、ループの両端と穴周辺の布がしっかりと一体化される。しかしループは穴の一点だけを接してカバーから独立している為、どんなに分厚い衣服をハンガーに掛ける場合でも、カバーがハンガーの軸部分から少し離れているので、ループの周り全部に布を固定している場合より、より容易に衣服をハンガーに掛けられる。
【０００２】
左右各幅５５ｃｍ　計１１０ｃｍ、縦８０ｃｍの布が必要であるが、普通の布の規格幅は１１０ｃｍなので、幅に全く無駄が生じないし、これだけの幅があると、どんなサイズの衣服でもすっぽりと肩を覆うことができる。又、同じ幅で円形に布を裁断した場合より、布の使用量が約３０％　程少なくて済む。その上、直線に裁断した部分が洋服カバーの背中になるので、後ろの見た目がスッキリする。又、だぶ付いているフリルをすべて前にもってくると、十分な幅の打ち合わせになるので、普段、洋服カバーとして使用する場合にはボタンやマジックテープ（登録商標）を掛ける必要がなく、その分手間がはぶける。
【０００３】
ループをハンガーの中心部の軸に通して吊し、ハンガーとカバーを一体化する。そうすることにより、次のシーズンまで保管してしまう程ではないが暫らく着ない衣服や、時々着るので部屋に吊るしたままにしている衣服にも、手軽に埃よけとしてカバーを掛けることが出来る。又、使用しない場合、カバー自体をハンガーから外してしまうことも簡単にできるし、埃が付着したら洗濯することも容易に出来るので清潔であり、繰り返し半永久的に使用できる。
【０００４】
従来の洋服カバーは、クリーニング屋から戻ってきた時に付いてくる無料のポリエチレン製の単純なカバーや、しっかりとした作りの本格的なカバーであっても、ほとんどが衣服に沿った形に作られており、長期にカバーし保管するには優れているが、日常的に手軽に取ったり、外したりするには、大変面倒である。又、多くが、ポリエチレンや不織布やビニール製の素材でできており長期に使用していると、埃で汚れてくるが洗濯が出来ないので捨てるしかなく、それが環境汚染につながっている。
【０００５】
カバーが無くて、タンスやクローゼットに保存している衣服も、一番埃がつきやすいのは肩や襟の部分なので、多くの家庭ではハンガーに掛けた衣服に、タオルや風呂敷を掛けている事が多いが、それだと容易にはずれたり、ずれたりするし、隙間から埃が入ってしまう。
【０００６】
本発明は、例えば、３シーズン着られる洋服やファッション性の高い洋服など、毎日は着ないが、時々は着る洋服を、その度に従来の洋服カバーを掛けたり、外したりする手間の大変さから解放する。又、カバーの前打ち合わせ部分をボタンかマジックテープ（登録商標）で留めると、カバーが袋状になり洋服から外れなくなるので、長期保管の為の洋服カバーとしても十分に使用できる。その上、カバーが埃で汚れても洗濯が容易に出来る為、繰り返し半永久的に使用できるので経済的であり、且つ環境にやさしい。
【図面の簡単な説明】
【図１】洋服カバーの表平面図である。
【図２】洋服カバーの裏平面図である。
【図３】洋服カバーの穴にループの結び目を固定し、紐の両端を縫い付けた拡大図。
【図４】紐で作ったループの詳細である。
【図５】紐のループを吊り下げた状態を示した正面図である。
【図６】輪の取付具と紐を組合わせたループである。
【図７】輪の取付具を吊り下げた状態を示した正面図である。
【図８】前打合せボタンを留めないで、フリルを前で重ね合わせた正面図である。
【図９】前打合せボタンを留めた状態を示す正面図である。
【図１０】背中側が直線になることを示した背面図である。
【図１１】ハンガーの軸に洋服カバーを吊り下げた状態を示した正面図である。
【符号の説明】
１　長方形の布の切り取って除く部分
２　本体
３　ポケット
４　本体に固定される紐
５　紐ループ
６　ループの結び目と、それを固定する本体の位置
７　輪取付具
８　ハンガー軸
９　ハンガー
１０　ボタン
【図１】
2004057543.tif 000003
【図２】
2004057543.tif 000004
【図３】
2004057543.tif 000005
【図４】
2004057543.tif 000006
【図５】
2004057543.tif 000007
【図６】
2004057543.tif 000008
【図７】
2004057543.tif 000009
【図８】
2004057543.tif 000010
【図９】
2004057543.tif 000011
【図１０】
2004057543.tif 000012
【図１１】
2004057543.tif 000013
(57)【要約】【課題】従来、バッグ本体の開口部を開閉自在な蓋の内面部にミラーを取り付けたバッグが公知であるが、このようなバッグは、ミラーを使用するときに蓋を開くことになるので、バッグ本体に収納した中身を他人に覗き見されるという問題があった。本発明は、蓋を開かずにミラーを使用できて、バッグ本体に収納した中身を他人に覗き見される心配のないミラー付きバッグの提供を課題とする。【解決手段】バッグ本体１の開口部を開閉自在な蓋２を具えて、その蓋２の外面部にミラー３を取り付け、又、蓋２の外面部に被せて上記のミラー３を隠蔽するとともに蓋２の一部を装飾し、かつ、蓋２に対し開くことによってミラー３を露呈させて使用可能とする装飾カバー５を蓋２に取り付けたことを特徴とする。【選択図】　　　　図１
2004057542.tif 000002
【特許請求の範囲】
【請求項１】
バッグ本体１の開口部を開閉自在な蓋２を具えて、その蓋２の外面部にミラー３を取り付け、又、蓋２の外面部に被せて上記のミラー３を隠蔽するとともに蓋２の一部を装飾し、かつ、蓋２に対し開くことによってミラー３を露呈させて使用可能とする装飾カバー５を蓋２に取り付けたことを特徴とするバッグ。
【発明の詳細な説明】
【０００１】
【発明の属する技術分野】
本発明はバッグに関する。
【０００２】
【従来の技術】
従来、バッグ本体の開口部を開閉自在な蓋の内面部にミラーを取り付けたバッグが公知である。
【０００３】
上記のような従来のバッグは、ミラーを使用するときに蓋を開くことになるので、バッグ本体に収納した中身を他人に覗き見されるという問題があった。
【０００４】
【発明が解決しようとする課題】
そこで本発明は上記の問題を解決すること、すなわち、蓋を開かずにミラーを使用できて、バッグ本体に収納した中身を他人に覗き見される心配のないミラー付きバッグの提供を課題とする。
【０００５】
【課題を解決するための手段】
上記課題を解決するために、本発明のバッグは、バッグ本体１の開口部を開閉自在な蓋２を具えて、その蓋２の外面部にミラー３を取り付け、又、蓋２の外面部に被せて上記のミラー３を隠蔽するとともに蓋２の一部を装飾し、かつ、蓋２に対し開くことによってミラー３を露呈させて使用可能とする装飾カバー５を蓋２に取り付けたことを特徴とする、という構成にしたものである。
【０００６】
【発明の実施の形態】
以下、図を用いて本発明の実施の形態について説明する。まず、図はハンドバッグを示しているが、本考案のバッグの種類は自由であり、ハンドバッグに限定するものではない。
【０００７】
本発明のバッグは、バッグ本体１の開口部を開閉自在な蓋２を具えている。図示した蓋２は、取っ手４を備えたカブセブタになっていて、バッグ本体１の前胴部８に雌雄一対のマグネットホック７ａ，７ｂにより着脱自在となっているが、蓋２の構造、及び、蓋２を固定する留め具の種類は自由であり、これに限定するものではない。
【０００８】
蓋２は、その外面部の適宜な個所にミラー３を取り付けている。図示したミラー３は矩形になっているが、ミラー３の形状やサイズは自由であり、これに限定するものではない。また、蓋２に対するミラー３の取付方法も自由である。
【０００９】
蓋２は、その外面部に装飾カバー５を取り付けている。この装飾カバー５は、図３及び図４に示すように、蓋２の外面部の一部に被せることができ、蓋２に被せた状態で上記のミラー３を覆って、ミラー３を隠蔽できるようになっている。
【００１０】
装飾カバー５は、蓋２に被せた状態で、上記のようにミラー３を隠蔽する機能を有するが、その蓋２の一部を装飾する機能も有している。
【００１１】
なお、装飾カバー５は蓋２に被せた状態で、留め具を用いて蓋２に固定することができる。その留め具の種類は自由であり、例えば図示したように雌雄一対のマグネットホック６ａ，６ｂなどを使用可能である。
【００１２】
装飾カバー５は、図１及び図２に示すように、蓋２に対し後方へ開くことができるようになっていて、開いた状態で、蓋２の前胴部８に取り付けたミラー３を露呈させて使用可能としている。
【００１３】
【発明の効果】
本発明のバッグは、蓋２を開かずに、装飾カバー５だけを開くことにより、蓋２の外面部に取り付けたミラー３を露呈させて使用することができるという利便性がある。したがって、ミラー３を使用するときに、蓋２を開く必要がないので、バッグ本体１に収納した中身を他人に覗き見されるのを防止することができる。
また、装飾カバー５は蓋２の一部を装飾するものなので、蓋２の外面部に取り付けても蓋２のデザインが不体裁になることはない。
【図面の簡単な説明】
【図１】ミラーを使用する状態の斜視図である。
【図２】図１のＡ−Ａ線断面図である。
【図３】ミラーを隠蔽した状態の斜視図である。
【図４】図３のＢ−Ｂ線断面図である。
【符号の説明】
１　バッグ本体
２　蓋
３　ミラー
４　取っ手
５　装飾カバー
６ａ　雌のマグネットホック
６ｂ　雄のマグネットホック
７ａ　雌のマグネットホック
７ｂ　雄のマグネットホック
８　前胴部
【図１】
2004057542.tif 000003
【図２】
2004057542.tif 000004
【図３】
2004057542.tif 000005
【図４】
2004057542.tif 000006
(57)【要約】【課題】心雑音を聴くだけでなく、心雑音を画像化することにより心雑音を視覚的にも確認し、あらたな診断価値を有する的確な情報が得られる生体内心音の画像表示装置。【解決手段】心音の画像表示装置は数個のマイクロフォンを備えたセンサー部に入力される生体内の心音の発生位置を各マイクロフォンの位置関係とそれぞれに接続した増幅回路および周波数フィルター回路により位相解析して、各音源の三次元的な位置と音質の高低を生体内の心音情報として把握し、それらを色調に変換してセンサー部背面の画像に表示する。【選択図】　　　　図２
2004057533.tif 000002
【特許請求の範囲】
【請求項１】
数個のマイクロフォンを備えたセンサー部に入力される生体内の心音の発生位置を各マイクロフォンの位置関係とそれぞれに接続した増幅回路および周波数フィルター回路により位相解析して、各音源の三次元的な位置と音質の高低を生体内の心音情報として把握し、それらを色調に変換してセンサー部背面の画像に表示することを特徴とする心音の画像表示装置。
【発明の詳細な説明】
【０００１】
【発明の属する技術分野】
本発明は生体内の心音を画像に表示する装置に関する。
【０００２】
【従来の技術】
循環器、とくに心疾患の診断においては、心腔内の血流の異常を速やかに把握することが重要である。このため、聴診による心雑音の診断が古くからおこなわれている。心雑音は疾患により局所的に発生するものや全体から反響するもの、高音のもの、低音のものなどさまざまである。
【０００３】
【発明が解決しようとする課題】
本発明は従来からの課題に鑑みてなされたもので、心雑音を聴くだけでなく、心雑音を画像化することにより心雑音を客観的に表示し、あらたな診断価値を有する的確な情報が得られる生体内心音の画像表示装置を提供せんとするものである。
【０００４】
【課題を解決するための手段】
ここにおいて本発明者は、数個のマイクロフォンを備えたセンサー部に入力される生体内の心音の発生位置を各マイクロフォンの位置関係とそれぞれに接続した増幅回路および周波数フィルター回路により位相解析して、各音源の三次元的な位置と音質の高低を生体内の心音情報として把握し、それらを色調に変換してセンサー部背面の画像に表示することを特徴とする心音の画像表示装置を見出すにいたった。
【０００５】
【発明の実施の形態】
本発明による心音の画像表示装置はセンサー部における数個のマイクロフォンにより心音の音源を三次元的にとらえ、体腔内から発せられる心音の位相や周波数を、各マイクロフォンの位置関係とそれぞれに対応した増幅回路および周波数フィルター回路により解析してその音源の位置を求めるとともに、音の高低や音の広がりを画像においてそれぞれ色調の種類と明暗とにより二次元に表示する。たとえば、音の高低を色調の種類で、音源の位置を深いものほど淡色で表し、これらから音の広がりを感知する。
【０００６】
本発明では心音の画像表示装置として、とくに、センサー部の背面にカラー液晶表示器を取付けてあるので、センサー部に対応する位置の体腔内の心音情報が聴覚により得られると同時に、画面にも表示されるので、検査者は受診者の心音情報を的確に把握しやすい。
【０００７】
図１に心音の画像表示装置の概略をブロック図で説明してある。すなわち、二次元に配置した心音マイク１で集音した心音をアンプ（増幅回路）で増幅し、マルチプレクサ（切替回路）を介し、位相比較器（増幅回路および周波数フィルター回路を含む）で解析し、さらに表示制御回路を経てＴＦＴ液晶ディスプレイなどによる画像表示部２に心音情報を表示する。
【０００８】
図２に心音マイク１の背面に液晶ディスプレイによる画像表示部２を一体に設けたものを示してある。これが図３に示すごとくケーブル４を介して心音の画像表示装置本体３に接続している。
【０００９】
【発明の効果】
本発明による心音の画像表示装置は心雑音を聴くだけでなく、心雑音を画像化することにより心雑音を客観的に表示し、あらたな診断価値を有する的確な情報を得ることができる。
【図面の簡単な説明】
【図１】心音の画像表示装置の系統を示すブロック図
【図２】（ａ）は心音マイク、（ｃ）は画像表示部、（ｂ）はこれらを一体にした側面をそれぞれ示す図
【図３】心音の画像表示装置全体の配置を示す説明図
【符号の説明】
１　心音マイク
２　画像表示部
３　心音の画像表示装置本体
４　ケーブル
【図１】
2004057533.tif 000003
【図２】
2004057533.tif 000004
【図３】
2004057533.tif 000005
(57)【要約】【課題】通電後比較的短時間で便座の外郭表面を適温に加温することができ、暖房便座設定温度の上昇下降をレスポンスよく制御可能な暖房便座を提供する。【解決手段】外郭１０を、厚さ１ｍｍ以下の表面側の合成樹脂からなる外層１と、外層よりも熱伝導率が高い材料で、外層と略同等の肉厚又は外層の肉厚よりも厚く形成されて熱源５が当接される内層２を設けた層構成の暖房便座とする。【選択図】　図２
2004057573.tif 000002
【特許請求の範囲】
【請求項１】
外郭の内側からの発熱体による熱源で外郭表面に接する人体を暖房する暖房便座において、前記外郭は、厚さ１ｍｍ以下の表面側の合成樹脂からなる外層と、この外層よりも熱伝導率が高い材料で、外層と略同等の肉厚又は外層の肉厚よりも厚く形成され前記熱源が当接する内層を設けた暖房便座。
【請求項２】
内層が、金属フィラ−を混合分散させた合成樹脂からなる請求項１記載の暖房便座。
【請求項３】
内層が、金属板からなる請求項１記載の暖房便座。
【発明の詳細な説明】
【０００１】
【発明の属する技術分野】
本発明は、温水洗浄装置の便座などに使用する暖房便座に関する。
【０００２】
【従来の技術】
従来この種の暖房便座として図３に示すように、厚さ３ｍｍ程度の肉厚に形成したアクリロニトリル−ブタジエン−スチレン樹脂（ＡＢＳ樹脂）又はポリプロピレン樹脂の成形品による外郭１０の内側に、アルミ箔１１（厚さ０．３〜０．４ｍｍ程度）を介して熱源５であるヒータを張り付ける層構成として、便座表面を昇温させるようにしたものが知られている。
【０００３】
しかし、従来の技術で述べた暖房便座は、比較的熱伝導率の低いＡＢＳ樹脂やポリプロピレン樹脂などの合成樹脂を用い、便座の強度面の配慮から肉厚を厚く形成しているため、便座の外郭１０に触れる人体に熱源５からの熱が伝わりにくく、通電してから外郭表面側が適温になるまでに時間を要する。
このため、便座の未使用時には電源を切り、使用時に通電するといった省エネルギー制御が難しい問題を有していた。
【０００４】
【発明が解決しようとする課題】
本発明は、通電後比較的短時間で便座の外郭表面を適温に加温することができて、暖房便座設定温度の上昇下降をレスポンスよく制御することができる暖房便座を提供しようとするものである。
【０００５】
【課題を解決するための手段】
本発明は、次のものに関する。
（１）外郭の内側からの発熱体による熱源で外郭表面に接する人体を暖房する暖房便座において、前記外郭は、厚さ１ｍｍ以下の表面側の合成樹脂からなる外層と、この外層よりも熱伝導率が高い材料で、外層と略同等の肉厚又は外層の肉厚よりも厚く形成され前記熱源が当接する内層を設けた暖房便座。
（２）内層が、金属フィラ−を混合分散させた合成樹脂からなる上記（１）記載の暖房便座。
（３）内層が、金属板からなる上記（１）記載の暖房便座。
【０００６】
【作用】
厚さ１ｍｍ以下の表面側の合成樹脂からなる外層と、この外層よりも熱伝導率が高い材料で、外層と略同等の肉厚又は外層の肉厚よりも厚く形成された内層とを備える層構成の外郭とし、外層と略同等の肉厚又は外層の肉厚よりも厚く形成した内層により便座としての強度を確保して熱伝導率の低い外層を１ｍｍ以下の厚さに薄くすることによって、内層に当接する熱源からの熱が、熱伝導率は低いもののその厚さが１ｍｍ以下と薄いため外層の表面側にも通電後比較的短い時間で伝わって加温される。
【０００７】
【発明の実施の形態】
本発明による暖房便座の外層には、比較的熱伝導率が低く且つ人体の肌触りをよくするために、ＡＢＳ樹脂、ポリプロピレン樹脂、セルロイドなどを使用し、その肉厚は、肌触りを保つために必要な層として１ｍｍ以下に形成する。なお、肉厚が１ｍｍを越えると、外層表面側への熱源からの熱の伝導にかなり時間がかかって、通電後短時間で便座の外郭表面を適温にすることが難しくなる。
外層は肌触りが保てればその肉厚はできるだけ薄くするのが好ましい。
【０００８】
内層は、この内層に当接して設ける熱源からの熱を外層側に導き易く、外層の表面の温度むらを少なくするため、外層よりも熱伝導率が高く、且つ熱容量の大きい材料を使用する。
内層の材料としては、アルミニウム板又は銅板などの金属板、又は、熱伝導率を高めるためにアルミニウムなどの金属フィラーを混合分散させた合成樹脂が使用される。
内層の肉厚は、外層と併せて便座としての強度が保てるように、外層の肉厚が１．０ｍｍの場合は、１．０〜２．０ｍｍ程度の厚さに形成される。
なお、外層と内層のみで便座としての強度が不足する場合には、内層の内側にさらに合成樹脂などによる裏面層を設けるようにしてもよい。
【０００９】
【実施例】
以下、本発明による暖房便座の実施例を図１乃至図２により説明する。
図１は暖房便座の平面図、図２は図１中のＡ−Ａ断面部紛における本発明の実施例による暖房便座の断面図である。
図２において、暖房便座の外郭１０は、熱伝導率の低い比較的安価で成形し易いポリプロピレン樹脂（熱伝導率０．１５〜０．２Ｗ／ｍ・Ｋ）により肌触りを保つために肉厚１．０ｍｍとした表面側の外層１と、この内側に外層１と同じポリプロピレン樹脂の基材に熱伝導率を高めるためのアルミニウムの粒状のフィラ−を混合分散させて形成した肉厚１．５ｍｍの内層２（熱伝導率５０Ｗ／ｍ・Ｋ程度）とを一体成形により形成し、さらに、内層２の内側にポリプロピレン樹脂による肉厚１．０ｍｍの裏面層３を接着により張り付ける層構成とした。
裏面層３に設けた溝３ａには、面積が広く内層２との接触面積が大きくとれるパターンヒータからなる熱源５を当接して設けた。
なお、熱源５のヒータは、内層２を金属のような導電性の材料で構成する場合は、外皮をシリコンや塩化ビニル樹脂などの絶縁性の材質で覆うようにする必要がある。
【００１０】
裏面層３及び外層１と底フタ４とは、図２中に示すＡ部分の溶剤による接着や溶着などにより接合される。
【００１１】
【発明の効果】
以上説明したように、本発明の暖房便座によれば、便座の外郭を、厚さ１ｍｍ以下の表面側の合成樹脂からなる外層と、この外層よりも熱伝導率が高い材料で、外層と略同等の肉厚又は外層の肉厚よりも厚く形成され熱源が当接する内層を設けた構成としており、熱源が当接される内層を外層と略同等の肉厚又は外層の肉厚よりも厚く形成することで内層によって便座としての強度を確保することで、熱伝導率の低い外層の厚さを１ｍｍ以下と薄くすることができ、外層表面側の設定温度の上昇下降が従来の便座よりもレスポンスよく制御することができるようになり、熱源（ヒータ）の熱を無駄無く便座表面に導くことができるため、節電が行え省エネ効果が期待できる。
また、トイレに入る前に通電すること無く入室と同時に通電しても冷感を感じることなく便座に座ることができるようになる。
【図面の簡単な説明】
【図１】暖房便座の平面図である。
【図２】図１のＡ−Ａ断面部における本発明の暖房便座の実施例による断面図である。
【図３】従来例による暖房便座の断面図である。
【符号の説明】
１　外層　　　　　　　　　　２　内層
３　裏面層　　　　　　　　　３ａ　溝
４　底フタ　　　　　　　　　５　熱源（ヒータ）
１０　外郭　　　　　　　　　１１　アルミ箔
【図１】
2004057573.tif 000003
【図２】
2004057573.tif 000004
【図３】
2004057573.tif 000005
(57)【要約】【課題】本発明は搗精された精白米２になお残留附着している糊粉層３を精度よく分離し、炊飯水の清澄化及び食味の低下を防止することを目的とする。【解決手段】パスタ機等のダイからα化して押出された線材をβ化して粉砕し、上記精白米２よりも硬い微粒子４に整粒してなる澱粉及び／又は穀粉系微粒研磨剤１に加水して湿潤研磨剤１’となし、これを搗精した精白米２と混合攪拌して精白米２の表面の残留糊粉層３を剥離し、さらに該精白米２と剥離糊粉層及び上記微粒研磨剤１とを分離する方法である。【選択図】　図１
2004057918.tif 000002
【特許請求の範囲】
【請求項１】
澱粉及び／又は穀粉系微粒研磨剤に加水して湿潤研磨剤となし、これを搗精した精白米と混合攪拌して精白米の表面の残留糊粉層を剥離し、さらに該精白米と剥離糊粉層及び上記微粒研磨剤とを分離することを特徴とする無洗米製造法。
【請求項２】
上記研磨剤がパスタ機等のダイからα化して押出された線材をβ化して粉砕し、上記精白米よりも硬い微粒子に整粒してなるものである請求項１記載の無洗米製造法。
【請求項３】
上記研磨剤がほぼ０．１〜２．０ｍｍ径である請求項１又は２記載の無洗米製造法。
【請求項４】
上記研磨剤５００ｇに対し、水約２０ｃｃを加水する請求項１〜３のいずれかに記載の無洗米製造法。
【発明の詳細な説明】
【０００１】
【発明の属する技術分野】
本発明は搗精された精白米に残留する糊粉層（アリウロン層）の湿式分離に関するものである。
【０００２】
【従来の技術】
従来、パスタ機に澱粉及び／又は穀粉を投入しダイから押出してα化した線材を冷却乾燥してβ化し、これを微細粒に粉砕し、篩で粒度調整して、搗精された精白米よりも硬い乾燥微粒研磨剤となし、該研磨剤と上記精白米とを混合攪拌することによって該精白米の表面の縦溝や脱胚芽凹面内に残留する糠を剥離又は分離する方法が知られている（特許第２９２０２４８号）。
【０００３】
上記の方法は残留糠の剥離に有効な方法であるが、水分を用いない方法であるため、精白米の上記縦溝や脱胚芽凹面内等の狭いところにある糠及び糊粉層は上記乾燥研磨剤との摺擦、衝接その他の干渉では剥離し難いという問題があった。
【０００４】
このことは精白米の炊飯水内に上記残留糠及び残留糊粉層が溶出して若干の白濁を免れず、充分な清澄水による炊飯を行い難いということである。
【０００５】
そこで搗精された精白米に加水して残留糊粉層を湿らせて軟化させる方法が考え出されたが、同時に精白米の表面も湿潤する。
【０００６】
このように湿潤精白米を上記研磨剤と混合攪拌により研磨すると炊飯精白米の食味が低下するという事実が判明した。
【０００７】
【発明が解決しようとする課題】
本発明は食味を低下させることがなく、上記残留糊粉層を湿らせ、これを充分剥離除去して比較的清澄な炊飯水により炊飯し得る無洗米製造法を提供することを目的とする。
【０００８】
【課題を解決するための手段】
上記の目的を達成するため本発明は
第１に澱粉及び／又は穀粉系微粒研磨剤に加水して湿潤研磨剤となし、これを搗精した精白米と混合攪拌して精白米の表面の残留糊粉層を剥離し、さらに該精白米と剥離糊粉層及び上記微粒研磨剤とを分離することを特徴とする無洗米製造法、
第２に上記研磨剤がパスタ機等のダイからα化して押出された線材をβ化して粉砕し、上記精白米よりも硬い微粒子に整粒してなるものである上記第１発明記載の無洗米製造法、
第３に上記研磨剤がほぼ０．１〜２．０ｍｍ径である上記第１又は第２発明記載の無洗米製造法、
第４に上記研磨剤５００ｇに対し、水約２０ｃｃを加水する上記第１〜第３発明のいずれかに記載の無洗米製造法、
によって構成される。
【０００９】
【発明の実施の形態】
パスタ機等のダイから高温高圧で押出されるα化した線材を冷却乾燥してβ化し、これを微細粒（ほぼ０．１〜２．０ｍｍ径）に粉砕し、これを篩別けして粒径０．１〜０．５ｍｍのＡグループ、粒径０．５〜２．０ｍｍのＢグループ等に整粒して微粒研磨剤１を形成する。
【００１０】
パスタ機に投入される原材料は澱粉及び／又は穀粉（小麦粉など）であって高圧でダイから押出されるためパスタ機内で昇温し、原材料内の固有水分又は加水の昇温により、ダイから押出される際はα化して連続線状材料（パスタ・ｐａｓｔａ）となり、放冷乾燥させてβ化させる。
【００１１】
β化された上記パスタは硬化又は凝固して搗精された精白米２よりも硬い。従って該β化パスタを粉砕機で粉砕し、粒径０．１〜０．５ｍｍのＡグループ及び粒径０．５〜２．０ｍｍのＢグループ等に整粒し、これを微粒研磨剤１とする。
【００１２】
上記精白米の粒径、米表面の縦溝、脱胚芽部等の状況に応じてＡグループ又はＢグループの上記研磨剤１を用い、Ａ又はＢグループの上記研磨剤５００ｇに水約２０ｃｃを加水攪拌して上記研磨剤１の微粒子４の表面に毛管現象により水の薄い被膜１”を形成することができ、湿潤研磨剤１’とする。
【００１３】
上記湿潤研磨剤１’を搗精した５ｋｇの精白米２に添加混合攪拌することによって湿潤研磨剤１’の各微粒子４の表面の水の被膜１”と上記精白米２の縦溝２’や脱胚芽部分の凹部２”内に残留している糊粉層３とが接触して上記水の被膜１”は該糊粉層３を湿潤させる。
【００１４】
これは糊粉層３が精白米２よりも親水性が大で精白米２は水に濡れるが溶出することはなく、上記糊粉層３は水に溶出し易いから、上記縦溝２’や凹部２”内の残留糊粉層３は上記水の被膜１”に接触吸水して軟化し、かつ硬い微粒研磨剤１の微粒子４との摺擦、衝接その他の干渉動作によって軟化した上記残留糊粉層３は上記縦溝２’や凹部２”内から研磨剤１の微粒子４側にくっついて剥離又は分離される。
【００１５】
その後上記被研磨精白米２、上記研磨剤１の微粒子４及び剥離糊粉層を篩別けによって選別し、精製精白米が得られる。
【００１６】
【表１】
［実験例］
2004057918.tif 000003
【００１７】
【発明の効果】
本発明は上述の方法によったので搗精された精白米に残留する糊粉層を上記湿潤研磨剤によって剥離し易く、剥離精度良好な精白米が得られ、炊飯水の濁度の比較的少ない食味良好な精白米が得られる効果がある。
【図面の簡単な説明】
【図１】（イ）図は搗精された精白米の横断平面図である。
（ロ）図は澱粉及び／又は穀粉系研磨剤の平面図である。
【図２】（イ）図は上記精白米の表面の縦溝及び残留糊粉層の拡大横断平面図である。
（ロ）図は脱胚芽部の残留糊粉層の拡大横断面図である。
【図３】上記研磨剤の湿潤粒子の拡大平面図である。
【符号の説明】
１　　　澱粉及び／又は穀粉系微粒研磨剤
１’　　湿潤研磨剤
２　　　精白米
３　　　残留糊粉層
４　　　微粒子
【図１】
2004057918.tif 000004
【図２】
2004057918.tif 000005
【図３】
2004057918.tif 000006
(57)【要約】【目的】下部左右にリクライニング装置などの傾動装置を備え、左右の傾動装置間の幅が上部の左右幅に対して狭く形成されているシートバックにおいて、シートバックの外観品質を向上させることである。【構成】本体１の左右下部に、傾動装置Ｒ、Ｒを被覆する被覆部２、２を一体に設け、該被覆部２、２は本体１のパッド１０と一体のサイドパッド２０と、このサイドパッド２０に接着する袋状の表皮２１とから構成している。【選択図】　　　　図２
2004057670.tif 000002
【特許請求の範囲】
【請求項１】
本体の下部左右両側面に、前倒れ装置又はリクライニング装置からなる傾動装置を設け、この両傾動装置の外側に、本体の一部を延設して傾動装置被覆用の被覆部を設け、該被覆部は本体の発泡体製パッドと一体のサイドパッドと、このサイドパッドを被覆しサイドパッドに接着する袋状の表皮とからなることを特徴とするシートバック構造。
【発明の詳細な説明】
【０００１】
【発明の属する技術分野】
本発明は、自動車用シート（座席）のシートバック（背凭部）構造に関する。
【０００２】
【従来の技術】
従来の自動車用シートのシートバックにはシートバックの下部左右両外側面を内方に向けて凹窪状に形成し、この凹窪状に形成した部分に、リクライニング装置、前倒れ装置を取付けたものがある。
【０００３】
従って、シートバックの下部左右外側面に設けたリクライニング装置などの外面が露出している。
【０００４】
【発明が解決しようとする課題】
そのため、リクライニング装置などが露出するため、リクライニング装置などを樹脂製カバーで被覆している。しかし、シートバックの下部における左右方向の幅が上部に対して狭いため、シートバック全体の外観品質が損なわれるなどの不具合があった。
【０００５】
そこで、本発明は斯様に左右両外側面にリクライニング装置などの傾動装置を備え、このリクライニング装置などを有する部分の左右の幅が上部の幅に対して狭く形成してなるシートバックにおいて、外観品質を向上させることを目的とする。
【０００６】
【課題を解決するための手段】
以上の目的を達成するための本発明に係るシートバックは、本体の下部左右量側面に、前倒れ装置又はリクライニング装置からなる傾動装置を設け、この両傾動装置の外側に、本体の一部を延設して傾動装置被覆用の被覆部を設け、該被覆部は本体の発泡体製パッドと一体のサイドパッドと、このサイドパッドを被覆しサイドパッドに接着する袋状の表皮とからなることを特徴とする構成である。
【０００７】
以上の構成により、左右に設けた傾動装置は、本体と一体の被覆部によって被覆され、左右の被覆部によってシートバックの下部左右の間の幅が上部と同一となり、シートバックの外観品質を向上させることができる。
【０００８】
【発明の実施の形態】
以下、本発明の実施の一形態を図面に基づいて説明する。
図１乃至図３は、本発明に係るシートバックＳＢを備えた自動車用シートのリャシートを示し、図１はシートの使用可能状態、図３はシートバックＳＢをシートクッションＳＣ上に前倒した状態を各々示す。以上のシートバックＳＢはシートクッションＳＣに傾動装置Ｒによって矢印方向である前倒方向に前倒れ又は前傾可能に連結されている。
【０００９】
シートバックＳＢは、本体１下部の左右方向幅Ｗ１が上部の左右方向の幅Ｗ２に対して狭く形成され、その本体１の下部左右に前倒装置又はリクライニング装置などの傾動装置Ｒ、Ｒが装着されている。
【００１０】
この各傾動装置Ｒ、Ｒの外面は、本体１と一体成形した被覆部２、２によって被覆されている。
本体１は従来のシートバックと同様にフレーム１２などの支持部材と、モールド加工した発泡体製パッド１０と、このパッド１０を被包するトリムカバー１１、１１Ａ、１１Ｂとから構成されている。
【００１１】
前記被覆部２は、本体１のパッド１０と一体にモールド成形したサイドパッド２０と、このサイドパッド２０を被覆する袋状の表皮２１とから構成されている。
【００１２】
この表皮２１は、前記本体１のトリムカバー１１、１１Ａに一体に形成され、本体１のトリムカバー１１と同様に前面部２１Ａが接着剤２１Ｂによってサイドパッド２０の前面２０Ａに接着されている。
【００１３】
図中１１は本体１のトリムカバーの身頃部、１１Ａは同まち部、１１Ｂは後まち部で、その端末にはファスナーの雄体１１Ｂ′が縫着され、本体１の背裏を構成する後身頃部１１Ｃに一体に連結されている。図中Ｒ１は傾動装置Ｒのロック解除用操作レバーを示す。
【００１４】
以上のサイドパッド２０は図４に示すように本体１のパッド１０と一体に成形され、パッド１０とサイドパッド２０の各々の着座面１０Ａ、２０Ａに接着剤を塗布する。そして、パッド１０の着座面１０Ａを本体１のトリムカバーの身頃部１１内面に、また、サイドパッド２０を被覆部２の袋状の表皮２１内に挿入し、パッド１０、サイドパッド２０を身頃部１１、表皮２１の着座部２１Ａに加圧して接着する。次に、まち部１１Ａ、後まち部１１Ｂをパッド１０に当てた後、前記後身頃部１１Ｃを取付けると、図１、図３に示すシートバックＳＢが組立てられる。
【００１５】
【発明の効果】
本発明によれば、シートバックの下部左右に有する傾動装置が本体と一体の被覆部によって被覆されるため、シートバックの外観品質が向上する。
【００１６】
しかも、この被覆部により、シートバックの上下部における左右方向の幅を同一に形成できるため、更にシートバックの外観品質を向上させることができる。
【００１７】
また、被覆部を構成する表皮は、サイドパッドに接着されているため、被覆部の変形等を防止できる。
更に、表皮はあらかじめ袋状に縫製され、接ぎ合わせのための縫い代等が外部に露出することがないため、更に、シートバックの外観品質を向上させることができる。
【図面の簡単な説明】
【図１】本発明に係るシートバックからなる自動車用シートの斜視図である。
【図２】図１のＡ部の拡大部分切欠図である。
【図３】図１にシートバックを前倒した状態の部分切欠斜視図である。
【図４】分解部分斜視図である。
【符号の説明】
ＳＢ　　　シートバック
Ｒ　　　傾動装置
１　　　本体
２　　　被覆部
２０　　　サイドパッド
２１　　　表皮
【図１】
2004057670.tif 000003
【図２】
2004057670.tif 000004
【図３】
2004057670.tif 000005
【図４】
2004057670.tif 000006
(57)【要約】【課題】痔の治療に特効のある治療バンドを提供すること。【解決手段】全体が自由に伸縮する生地により成形され、該生地により胴締帯部と、その中央に直角方向に連結した尻当帯部と、尻当帯部に続く人体の左右前部を経て、胴締帯部の側面部に引掛鉤によって止める肛門部引上部をそれぞれ形成したこと。【選択図】　　図１
2004057630.tif 000002
【特許請求の範囲】
【請求項１】
全体が自由に伸縮する生地により成形され、該生地により胴締帯部と、その中央に直角方向に連結した尻当帯部と、尻当帯部に続く人体の左右前部を経て、胴締帯部の側面部に引掛鉤によって止める肛門部引上部をそれぞれ形成した痔治療用バンド。
【発明の詳細な説明】
【０００１】
【発明の属する技術分野】
イボ痔、脱肛等痔の治療に効果のある痔治療用バンドに関するものである。
【０００２】
【従来の技術】
痔の治療に特効のある器具は存在しないため患者に対しては苦痛の多い病である。
【０００３】
【発明が解決しようとする課題】
本発明の課題は、患部が常に正常な位置に保つことを可能にして血流を良くし、痛みを和らげることができる痔治療用バンドを得ることにある。
【０００４】
【課題を解決するための手段】
本発明の手段は次のとおりである。
【０００５】
全体が自由に伸縮する生地により成形され、該生地により胴締帯部と、その中央に直角方向に連結した尻当帯部と、尻当帯部に続く人体の左右前部を経て、胴締帯部の側面部に引掛鉤によって止める肛門部引上部をそれぞれ形成した痔治療用バンド。
【０００６】
【発明の実施の形態】
本発明は自由に伸縮する生地により成形した胴締部１と、その中央に直角方向に連結した伸縮尻当部２と、尻当部２に続く人体の左右前部を経て前記伸縮胴締部の側面部３の引掛鉤４ににより止めて伸縮する肛門部引上部５，６とから構成される。以上のように胴締部１、尻当部２、側面部３、肛門部引上部５，６は何れも伸縮可能な生地により作られている。図中７は患部押当片を示す。
【０００７】
次に本発明に係る痔治療用バンドの人体への装着順序を説明する。
【０００８】
先ず図１の展開状態において皮革製の基板１０に金具１１，１１によって取付けた胴締部１となるバンド１２，１２を人体の胴部に回して各バンド１２，１２の先に取付けた止具１３，１３を用いて胴部に止める。次に基板１０に吊下した尻当部２となるバンド１４の先に左右に分かれた側面部３，３及び肛門部引上部５，６を回して引上部５，６に仲介させた引掛鉤４で引掛けその先を引上部５，６の各先端に取付けた止具１５，１５を基板１０に固定した止具１６に固定する。かくして図２、図３のように本発明のバンドは人体に装着し、患部押当片７を自身の患部に押当てる。
【０００９】
【発明の効果】
本発明によれば、痔患者のなやみとする肛門よりの患部が体外に脱出することを防ぎ、均等の力が身体の上方向に働き患部を押し上げて体内に戻し、おさえておくことで血流が良くなり痛みを和らげることができる。かくして本発明のバンドを身につけたら何等の支障もなく運動もできる。
【図面の簡単な説明】
【図１】展開図。
【図２】使用順序１を示す正面図。
【図３】使用順序の２を示す側面図。
【符号の説明】
１　　　胴締部
２　　　尻当部
３　　　側面図部
４　　　引掛鉤
５，６　引上部
７　　　患部押当片
【図１】
2004057630.tif 000003
【図２】
2004057630.tif 000004
【図３】
2004057630.tif 000005
(57)【要約】【課題】電池内蔵型ゲームコントローラにおいて電池端子やスイッチ基板の保持強度の向上を図る。【解決手段】中央部に電池端子板５，　６及びその先端の電池接点７，　８を配置し、左右両端部にプッシュスイッチ基板１０を垂直に保持するための基板ホルダ部９を設けた一体型のパーツホルダ２を主基板１上に搭載する。電池端子板５，　６の周囲を囲むリブ２３を設けて外力による電池端子板の位置ずれを防ぐ。主基板とは別体のパーツホルダにて電池端子板とプッシュスイッチ基板を保持するので、主基板に加わる応力を軽減でき信頼性と耐久性が向上する。【選択図】　図１
2004057619.tif 000002
【特許請求の範囲】
【請求項１】
電池端子ホルダ部と、プッシュスイッチ等を搭載した基板を垂直に保持する基板ホルダ部とを一体化したパーツホルダを主基板上に搭載したゲームコントローラ。
【請求項２】
上記電池端子ホルダ部に電池端子板を囲むリブを形成して電池端子板を位置決めした請求項１記載のゲームコントローラ。
【発明の詳細な説明】
【０００１】
【発明の属する技術分野】
この発明は、ゲームコントローラに関するものであり、特に電池内蔵型のゲームコントローラに関するものである。
【０００２】
【発明が解決しようとする課題】
ゲームコントローラは、コンピュータゲーム機へケーブル接続するものが一般的であるが、ワイヤレス式とするためには送受信回路の電源として電池を内蔵する必要がある。この場合の電池収納及び接続方法としては、コントローラ内の主基板上に電池接点板を取付け、電池接点板と主基板とをはんだ付けにより接続することが一般的であるが、電池着脱時に電池接点板を介して主基板に加わる曲げ応力により、電池接点板のはんだ付け部分が割れたり、主基板の印刷回路パターンが断線したりする虞がある。また、電池接点板が露出しているので互いに接触して短絡する虞もある。
【０００３】
また、一般的にコントローラは左右の親指で操作する一対の多方向キーと、左右の人差し指で操作する一対のプッシュキーが備えられており、前後に動くプッシュキーの動作を受けるプッシュスイッチ基板は、水平な主基板へ垂直に取付けられるが、より堅固にスイッチ基板を保持する手段が望まれている。
【０００４】
そこで、電池接点板部分や主基板並びにプッシュスイッチ基板部分の損傷の虞を解消するために解決すべき技術的課題が生じてくるのであり、本発明は上記課題を解決することを目的とする。
【０００５】
【課題を解決するための手段】
この発明は、上記目的を達成するために提案するものであり、電池端子ホルダ部と、プッシュスイッチ等を搭載した基板を垂直に保持する基板ホルダ部とを一体化したパーツホルダを主基板上に搭載したゲームコントローラを提供するものである。
【０００６】
また、上記電池端子ホルダ部に電池端子板を囲むリブを形成して電池端子板を位置決めしたゲームコントローラを提供するものである。
【０００７】
【発明の実施の形態】
以下、この発明の実施の一形態を図に従って詳述する。図１はゲームコントローラの主基板１を底面から見た図であり、２は本発明の要旨であるパーツホルダ、３は筐体（図示せず）の内部から前方（図において上）へ突出するプッシュキーである。パーツホルダ２は主基板１上に取付けられていて、中央のテーブル部４に設けた二つの電池端子板５，　６の＋接点７と−接点８へ二本の電池Ｂの＋電極と−電極が接触している。また、左右に延びる両翼に形成した基板ホルダ部９に、主基板１とは別体のプッシュスイッチ基板１０が垂直に取付けられている。プッシュスイッチ基板１０上のプッシュスイッチ１１はプッシュキー３の背面に対抗しており、プッシュキー３を手前側へ引くとプッシュキー３によりプッシュスイッチ１１が押されてオンする。
【０００８】
図２及び図３はパーツホルダ２を示し、底面の左右両端に設けた位置決めピン２１を主基板３のピン穴へ挿入して位置決めし、底面の後縁に設けたフック２２を主基板１に形成した角穴に係合させて主基板１に固定される。パーツホルダ２の中央に設けた矩形のテーブル部４は、左右両側にリブ２３で囲んだ電池端子ホルダ部２４，　２５が形成されていて、リブ２３はテーブル部４の上面から側面の下端まで連続している。金属板を折曲げ加工した電池端子板（図示せず）を電池端子ホルダ部２４，　２５にセットすると、電池端子板の下端部は、図３（ｅ）　に示す底板の穴２６を通じて下方へ突出し、主基板３の電源回路パターンへはんだ付けにより接続される。左右一対の電池端子ホルダ部２４，　２５の内側にはテーブル部４の上面から垂直に立ち上がる＋接点ホルダ部２７と−接点ホルダ部２８が立設されており、電池端子板の上部の直角に折曲げられた＋接点と−接点が＋接点ホルダ部２７と−接点ホルダ部２８に係止されて電池接点を構成する。
【０００９】
次に基板ホルダ部９について説明する。パーツホルダ２の左右両端に配置した基板ホルダ部９は垂直に立ち上がっており、背面の左右両端に縦方向のリブ２９が形成されていて、背面リブ２９の間に挿入したスイッチ基板を保持する。図２（ｂ）に示すように、基板ホルダ部９の前面には補強リブ３０が設けられていて、背面方向から加わるプッシュキーの圧力に耐えられるようにしている。
【００１０】
このように、電池端子板をパーツホルダ２によって保持し、且つ電池端子板の周囲を囲むリブ２３により電池端子板の前後移動を抑えているので、電池交換時などに電池端子板にかかる外力をパーツホルダ２が受けて、主基板１にかかる曲げやねじりなどの応力が軽減される。また、電池端子板をリブ２３によって囲んでいるので電池端子板の表面に導電性物体が接触して短絡する虞も軽減される。また、スイッチ基板もパーツホルダによって垂直に保持されているので耐久性が向上する。
【００１１】
尚、この発明は上記の実施形態に限定するものではなく、この発明の技術的範囲内において種々の改変が可能であり、この発明がそれらの改変されたものに及ぶことは当然である。
【００１２】
【発明の効果】
以上説明したように、本発明のゲームコントローラは、主基板とは別体のパーツホルダにて電池端子板ならびにスイッチ基板を保持しているので、主基板に加わる応力を軽減でき信頼性と耐久性が向上する。また、電池端子の保持とスイッチ基板とを一つの部品で保持することにより部品点数並びに工数も削減される。
【図面の簡単な説明】
【図１】本発明の実施の一形態を示し、ゲームコントローラの底面透視図。
【図２】パーツホルダを示し、（ａ）は平面図、（ｂ）は正面図（ｃ）は右側面図である。
【図３】パーツホルダを示し、（ｄ）は背面図、（ｅ）は底面図である。
【符号の説明】
１　　　　　　主基板
２　　　　　　パーツホルダ
３　　　　　　プッシュキー
４　　　　　　テーブル部
９　　　　　　基板ホルダ部
１０　　　　　プッシュスイッチ基板
２３　　　　　リブ
２４．　２５　電池端子ホルダ部
２７　　　　　＋接点ホルダ部
２８　　　　　−接点ホルダ部
【図１】
2004057619.tif 000003
【図２】
2004057619.tif 000004
【図３】
2004057619.tif 000005
(57)【要約】【課題】廃段ボール箱を利用して商品や展示物を陳列する陳列台を容易に設けることができ、且つ容易に配置の変更や撤去ができる廃段ボール箱製陳列台を提供する。【解決手段】廃段ボール箱１の段ボールの波に直交する側の上下にそれぞれ平板を有する化粧カバー２ａ，２ｂを被せて形成した廃段ボール箱製陳列台。化粧カバーの上部の面積を廃段ボール箱の横断面積より大きくした四角錘台形に形成したり、陳列台の背後に壁部材を設けたりすることができる。【選択図】　　図１
2004057612.tif 000002
【特許請求の範囲】
【請求項１】
廃段ボール箱の段ボールの波に直交する側の上下にそれぞれ平板を有する化粧カバーを被せて形成した廃段ボール箱製陳列台。
【請求項２】
化粧カバーがその上部の面積を廃段ボール箱の横断面積より大きくした四角錘台形であることを特徴とする請求項１記載の廃段ボール箱製陳列台。
【請求項３】
陳列台の背後に壁部材を設けたことを特徴とする請求項１または２記載の廃段ボール箱製陳列台。
【発明の詳細な説明】
【０００１】
【発明の属する技術分野】
本発明は、廃段ボール箱を利用して、商品や展示物を陳列する廃段ボール箱製陳列台に関する。
【０００２】
【従来の技術】
商店で野菜や食料品などの商品を陳列したり、朝市、バザー、展示場などで商品や展示物を陳列するのに陳列台が使用されている。従来の陳列台は、商店などでは、フレームなどの支持部材に板などの台を載せて固定した固定式陳列台が一般的である。
【０００３】
また、バザーや露店など野外で臨時に商品や展示物などを陳列するために使用する陳列台は、例えば、間隔をおいて配置した強度のあるプラスチック製の箱などを支持部材にし、その上にテーブルを載せて簡易な陳列台を形成している場合が多い。
【０００４】
【発明が解決しようとする課題】
前記の従来の固定式の陳列台は、その組立に手間が掛かるだけでなく、陳列台のレイアウトを変更しようとする場合、固定されている陳列台を分解して組み立て直すかあるいは新設しなければならず、これまた手間が掛かるという欠点があった。
【０００５】
また、バザーや露店などで臨時に陳列台を設ける場合、陳列台を構成する支持部材やテーブルを用意する必要があり、また、高さが揃った支持部材やスペースに合ったテーブルを容易に準備することができない場合があった。
【０００６】
そこで、本発明は、廃段ボール箱を利用して商品や展示物を陳列する陳列台を容易に設けることができ、且つ容易に配置の変更や撤去ができる廃段ボール箱製陳列台を提供するものである。
【０００７】
【課題を解決するための手段】
本発明の廃段ボール箱製陳列台は、廃段ボール箱の段ボールの波に直交する側の上下にそれぞれ平板を有する化粧カバーを被せて形成したことを特徴とする。
前記構成において、化粧カバーの上部の面積を廃段ボール箱の横断面積より大きくした四角錘台形に形成したり、陳列台の背後に壁部材を設けたりすることができる。
【０００８】
【発明の実施の形態】
本発明の陳列台は、比較的簡単に入手することができる廃段ボール箱を特に加工することなくそのまま使用することができるので、手間を掛けることなく簡単に陳列台を組み立てることができ、また、段ボール箱は規格品が多いので、同種の廃段ボール箱を容易に入手することができので、これらを同一のレベルに並べて陳列台を形成することができる。その結果、廃段ボール箱の再利用を促進することができる。
【０００９】
廃段ボール箱は、ライナーに挟まれた段ボールの波に直交する方向は、波が補強リブとなるために圧縮強度があり、大きな荷重に耐えることができる。そこで廃段ボール箱の上部あるいは下部に被せた平面を有する化粧カバーを商品などを載せるテーブルとする。
【００１０】
【実施例】
実施例１
図１は本発明の陳列台の第１実施例の斜視図である。
【００１１】
図１（ａ）に示すように、本実施例の陳列台は、使用済みの廃段ボール箱１の側面に必要に応じて化粧紙を被覆した後、圧縮強度が得られる段ボールの波に直交する側の上下にそれぞれ平面を有する化粧カバー２ａ，２ｂを被せ、接着剤等で廃段ボール箱１に固定する。なお、上下の化粧カバー２ａ，２ｂで廃段ボール箱全体を覆うことができる場合は、化粧紙を被覆しなくてもよい。
【００１２】
図１（ｂ）は、図１（ａ）に示す陳列台を２列に並べて陳列台を形成した状態を示し、このように並べることにより陳列面積を大きくすることができる。また、並べ方によりＬ字形、コ字形など種々のレイアウトの陳列台を形成することができる。
【００１３】
実施例２
図２は本発明の陳列台の第２実施例の斜視図である。
【００１４】
本実施例は、廃段ボール箱１に被せる化粧カバー３ａ，３ｂの形状を品物を置くスペースを広く形成するための例である。
【００１５】
本実施例では、化粧カバー３ａ，３ｂの上部の面積を廃段ボール箱１の横断面積より大きくしたもので、化粧カバー３ａ，３ｂの形状は四角錘台形となる。化粧カバー３ａ，３ｂの上部から垂直に幅４を設けて四角錘に形成して強度をもたせてもよい。
【００１６】
図２（ｂ）は、図２（ａ）で組み立てた陳列台を３列に並べて広いスペースの陳列台とした例である。また、図１に示す陳列台と同様に、並べ方により種々のレイアウトの陳列台を形成することができる。
【００１７】
実施例３
図３は本発明の陳列台の第３実施例の斜視図である。
【００１８】
本実施例は、陳列台の背後に壁部材５を設けたものである。本実施例の壁部材５は横断面３角形に形成したもので、廃段ボール箱を展開したシートから横断面三角形となるように組み立てることができる。壁部材５の横断面は、三角形の他、４角形、多角形でもよい。壁部材５を重ねる場合には、それぞれの壁部材５に接続片６を形成して連結する。また、最下段になる壁部材５の下部には、陳列台を載せる陳列台載せ部材７を形成して、壁部材５と陳列台の接続を安定化させる。
【００１９】
陳列台の背後に横断面三角形の壁部材５を設けて壁部材５に陳列台に載せた商品や展示物の説明パネル等を表示することができる。
【００２０】
【発明の効果】
本発明の廃段ボール箱陳列台は、廃段ボール箱を使用し、廃段ボール箱を特に加工することなくそのまま使用することができるので、手間を掛けることなく簡単に廃段ボール箱陳列台を組み立てることができる。また、本発明の廃段ボール箱陳列台は、廃段ボール箱を利用するので、廃段ボール箱のリサイクルが可能となる。また、本発明の陳列台を並べることにより、陳列スペースを増やしたり、レイアウトを代えたりすることができ、また撤去も簡単なので、野外に設ける陳列台に適している。
【図面の簡単な説明】
【図１】本発明の陳列台の第１実施例の斜視図である。
【図２】本発明の陳列台の第２実施例の斜視図である。
【図３】本発明の陳列台の第３実施例の斜視図である。
【符号の説明】
１：廃段ボール箱
２ａ，２ｂ：化粧カバー
３ａ，３ｂ：化粧カバー
４：幅
５：壁部材
６：接続片
７：陳列台載せ部材
【図１】
2004057612.tif 000003
【図２】
2004057612.tif 000004
【図３】
2004057612.tif 000005